(57)【特許請求の範囲】
【請求項１】
汚物の処理を可能とする、保持部と押さえ部と柄部から構成された用具に関するもので、袋の開口部を保持する保持部と、保持部を上とした場合に下側に押さえ部を設け、保持部より極めて短い全周と異なる形状から成る押さえ部は、保持部の一部位と交差しながら重なることで上と下の間に隙間ができ、その隙間に後付けの袋の一部を挟むことを可能にした構造で、また保持部と柄部の近傍に位置し、柄部は保持部と押さえ部の一部から構成され、保持部と押さえ部を支え、また保持部は二本以上を用いて縒ることで強度を備えた構造であることを特徴とする携帯汚物処理用具。
【発明の詳細な説明】
【技術分野】
【０００１】    本発明は汚物を袋内に収納する携帯汚物処理用具に関するものである。
【背景技術】
【０００２】  日常生活を営む日々に於いて、弱者に対する思いやりが形になってないと思うことのひとつに、汚物の処理方法が上げられる。
介護や看護の現場は毎日が戦争であり、排泄行為もまた他者の手を借りないと自分ひとりでは用が足りない。足腰が弱いとか、ベッドで寝たきりでも、排尿や排便などは他者の介助を少しでも減らして自力で行いたいと誰しもが感じるところである。自宅で介護する場合も汚物の処理には苦慮している。
また車などに於いても渋滞中に尿意や便意を感じても車内にトイレは無く、あわてるばかりである。【０００３】  従来の汚物を取るものに紙おむつが多いが、他には袋の中に直接受ける用具がある。しかし動物用で、袋の保持部と柄部が不安定で人用には使えず、さらに袋を止める操作が複雑で、袋を止める際の材料も多く人用には使いにくい（特許文献１を参照）。
【先行技術文献】
【特許文献】
【０００４】
【特許文献１】  特許  第４３７９８２８号  公報
【０００５】  このように従来の携帯糞処理用具の保持部と柄部との接合部は、保持部と柄部のパーツを結合させ折り畳めるような動きができる。そのため接合部が使用時に於いて動くことがあり固定機能に欠けるので、人用には使いにくい。しかも使用する材料が多く複雑である。【０００６】  したがってこの種の携帯糞処理用具は、人用として使う処理具としては不向きである。汚物の処理具において、介護や看護、車内での排泄や災害等の急を要する現場用に考えられた処理具は少なく、介助する際に便利な持ち手が付き、各々の現場において使い易い携帯汚物処理用具の提供が望まれる。
【発明の概要】
【発明が解決しようとする課題】
【０００７】  そこで本発明は、使う者の立場に即した臨機応変な使い方が出来る汚物処理のための用具で、本人は気兼ねなく、また介助者は安心して手を差し出すことが出来、備えておくと急な時に役立ち安心である携帯汚物処理用具の提供を目的とする。
【課題を解決するための手段】
【０００８】  本発明にかかる一つの態様は、汚物を入れる袋を保持する略円形状の保持部と、該保持部よりも小さい略円形状の前記袋の一部を押さえる押さえ部と、前記保持部と前記押さえ部とを支える柄部から成り、前記保持部と前記押さえ部とは僅かな隙間を保持した状態で交差することを特徴とする携帯汚物処理用具である。【０００９】  本発明にかかるその他の態様は、前記携帯汚物処理用具の主とする部材は線状で、該部材の線状は線材であり線材は自在に屈折を可能とし、また線材は少なくとも２つ以上用い、前記保持部と前記押さえ部の構成部材はそのまま柄部を構成する部材となり、更に前記保持部の一箇所には前記袋の一部を押さえる機能を備えることを可能とし、また保持部と柄部との接合部近傍に紐を備えたことを特徴とする請求項１に記載の携帯汚物処理用具である。
【発明の効果】
【００１０】  本発明は、保護材で覆った可動性の部材から構成された用具に、袋を取り付けて汚物を受ける汚物処理用具である。急な排泄や嘔吐にも対応可能な携帯を可能とした携帯汚物処理用具であり、自在に動く部材は女子の体形に輪状の開口部を緩やかに沿わせることが可能である。介添え者の手で本処理用具を支える機能も有り、子供からお年よりまで使える様に工夫がされ備えておくと安心である。もちろん動物にも使える。快適な生活の向上を目的とし、上記の課題を解決するために提供する。
【図面の簡単な説明】
【００１１】
【図１】携帯汚物処理用具の全体図、柄部の図
【図２】シリコンタイプチューブに針金を通す図
【図３】保持部の図
【図４】押さえ部の図
【図５】袋をセットした図
【図６】袋をセットした図
【図７】袋をセットした図
【図８】隙間を表した拡大図
【図９】袋に紐を掛けた図
【図１０】掛けた紐を引いた図
【図１１】縒りの隙間を表した拡大図
【図１２】袋をセットした図
【発明を実施するための形態】
【００１２】  本発明の携帯汚物処理用具を具体化した実施の形態について以下図面を用いて説明する。
【実施例１】
【００１３】  図１に示すように
図１は携帯汚物処理用具１の全体図であり、保持部２と、押さえ部３と、持ち手（柄部）４で構成され、ゴム紐９を加えた。詳細は以下で説明をする。【００１４】  図２、図３に示すように
シリコンタイプチューブ５に自在に屈折をする構造の針金６を入れることで、冷たい感じを消し去り柔らかな感触をもたせることができ濡れても直ぐ乾き、保持部２や押さえ部３の輪のかたちや、柄部４を曲げることもできる。また保護針金７を少なくとも二本以上用いて縒ることで強い輪を作り袋８のセットが容易に出来る。【００１５】  保持部２の輪のほぼ接合部と隣接する位置に押さえ部３が位置する。保持部２より極めて短い全周と形状の異なる輪が押さえ部３となる。押さえ部は保持部２の一部と交差をし、重ねる。交差接点は上側の保持部２と下側の押さえ部３の上下間に出来た僅かな隙間１０が重要である。保持部２と押さえ部３の保護針金７は柄部４を構成する部材となる。【００１６】  図８、図５、図６、図７、に示すように
保持部２の内側にセットした袋８の開口部を保持部２の外側へ出し、袋８の開口部の一部を、押さえ部３と保持部２の僅かな隙間１０に挟む形で入れ込み袋８の落下を止めることができる構造をもつ。【００１７】  図１、に示すように
保持部２と押さえ部３を形成した保護針金７は、保持部２と押さえ部３の先にある柄部４を構成する部材でもある。保護針金７は保持部２と押さえ部３を形成し延長した状態で柄部４を形成する。保護針金７を束ねながら編み綯うことで強い柄部４となる。【００１８】  図８、図９、図１０、に示すように
保持部２と柄部４との接合部近傍にゴム紐９を備えることで、後付けの袋８に汚物が入れば、ゴム紐９を袋８に掛け、柄部４を持つ手でゴム紐９を手前に引き袋８の口を仮に閉めその状態を保ち、再度汚物を袋８に入れるときに、ゴム紐９を指から離すと袋８の口が開き、袋８を交換せずに目的が達成できる。ゴム紐９は輪状であることが大切である。
【実施例２】
【００１９】  図１１、図１２に示すように
保持部２を作成する過程に於いて保護針金７を縒るがその際に、保持部２と柄部４との接合部近辺の縒りを緩めることで保護針金７と保護針金７とのあいだに僅かな隙間１１ができる。その僅かな隙間１１に保持部２でセットした袋８の開口部の一部を入れこむことで、袋８の落下を防止することが可能となる。つまり保持部２上の一箇所の緩い縒りが実施例１の押さえ部３と同じ働きをする。【００２０】  図１  図１１  図７  図１２に示すように
実施例２と実施例１との違いは、実施例２は、保持部２と押さえ部３とは共通線を用いて縒りを緩めることで僅かな隙間１１が形成され緩めた部位が押さえ部３となり、実施例１は、保持部２の形成部材と押さえ部３の形成部材は別な保護針金７を用いて形成されている。また実施例２は保持部２の輪内に別な輪状部はない。実施例１は保持部２の輪内の接合部近傍に押さえ部３としての輪部が存在する。更に僅かな隙間１１に袋８の一部を挟みこむが、その際の挟み方が実施例１とは異なる。【００２１】  図１  図８  図１１に示すように
実施例１と実施例２との共通点は、双方共、保持部２と押さえ部３との接合部近傍に僅かな隙間１０又は１１を保ち袋８の開口部の一部を挟み込むかたちで袋８の落下を防止することである。また袋８を保持する保持部２の構造が保護針金７を用い縒りをかけることである。また形状が輪形であることも共通点と言える。更に保持部２と押さえ部３との接合部近傍の共通点は、保護針金７を接合部近傍に集め束ねながら柄部４を構成したことである。よって柄部の構造も共通となる。接合部近傍に紐９を備えたことも共通点であり、双方の実施例も袋８を保持し袋８を止めて柄部４でしっかり支えることを可能とする。
【符号の説明】
【００２２】１    汚物処理具の本体
２    保持部
３    押さえ部
４    柄部
５    シリコンタイプチュ−ブ
６    針金
７    保護針金
８    袋
９    ゴム紐
１０  隙間
１１  保持部位の隙間
【要約】
【課題】介護や看護の現場や道路の渋滞による車内、更に災害時など急の排泄や嘔吐の対応には困るが、速やかに対応できるよう操作も簡単で、場所をとらずに収納ができ、備えておくと子供やお年寄りまた愛犬の散歩等にも使えて便利であることを特徴とした携帯汚物処理用具を提供する。
【解決手段】袋を保持する保持部と、その袋を押さえる働きの押さえ部と、保持部と押さえ部を支える柄部の三つの部位から形成された構造で、構造と使い方がシンプルで、持ち運びにも軽く場所をとらず利便性と衛星面や安全面にも配慮をし、備えておくと安心であることを特徴とする携帯汚物処理用具。
【選択図】図１【図１】
0004758514.tif 000002
【図２】
0004758514.tif 000003
【図３】
0004758514.tif 000004
【図４】
0004758514.tif 000005
【図５】
0004758514.tif 000006
【図６】
0004758514.tif 000007
【図７】
0004758514.tif 000008
【図８】
0004758514.tif 000009
【図９】
0004758514.tif 000010
【図１０】
0004758514.tif 000011
【図１１】
0004758514.tif 000012
【図１２】
0004758514.tif 000013